(57)【要約】【課題】圏外に位置するＰＳに対して着信がなされたときであっても、当該ＰＳ側が不在着信の履歴を認識できるような機能を持たせる移動通信の通信方法を提供する。【解決手段】複数の無線移動端末機の一つがサービスエリア外に位置する他の一つを呼び出す発呼の呼接続動作を行って、呼接続動作の結果、他の一つに対して所定時間内に着呼されないときに、交換機システムは他の一つの無線移動端末機がサービスエリア外に位置すると判定した上、サーバーＰＣに対し当端末機の不在着信状況を通知し、サーバーＰＣは通知された不在着信状況を不在着信履歴として蓄積し、他の一つがサービスエリア外からサービスエリア内に移動し、サービスエリア内への復帰動作が行われたとき、サーバーＰＣに蓄積された不在着信履歴がサーバーＰＣから他の一つへメッセージ伝送されることによって、他の一つが当端末機の不在着信履歴を認識できるようにした。【選択図】  図２
2005341336.tif 000002
【特許請求の範囲】
【請求項１】
メッセージ着信機能を有する複数の無線移動端末機と、該複数の無線移動端末機と無線系を介して接続される少なくとも１つの無線基地局と、該無線基地局および加入者線とが接続される交換機システムとにより行える移動通信の通信方法であって、
前記交換機システムにＬＡＮによって接続されるサーバーＰＣが備えられ、
前記複数の無線移動端末機の一つがサービスエリア外に位置する前記複数の無線移動端末機の他の一つを呼び出す発呼の呼接続動作を行って、該呼接続動作の結果、前記複数の無線移動端末機の他の一つに対して所定時間内に着呼されないときに、
前記交換機システムは該他の一つの無線移動端末機がサービスエリア外に位置すると判定した上、前記サーバーＰＣに対し当該端末機の不在着信状況を通知し、
前記サーバーＰＣは通知された該不在着信状況を不在着信履歴として蓄積し、
前記複数の無線移動端末機の他の一つがサービスエリア外からサービスエリア内に移動し、サービスエリア内への復帰動作が行われたとき、
前記サーバーＰＣに蓄積された前記不在着信履歴が前記サーバーＰＣから前記複数の無線移動端末機の他の一つへメッセージ伝送されることによって、
前記複数の無線移動端末機の他の一つが当該端末機の前記不在着信履歴を認識できるようにした移動通信の通信方法。
【発明の詳細な説明】
【技術分野】
【０００１】
本発明は、メモリ、入力／出力装置または中央処理ユニットの間の情報または他の信号の相互接続または転送または端末処理についての通信制御等の電気的ディジタルデータ処理に関する。
【背景技術】
【０００２】
従来技術は、不在着信時に発信者の情報を収集したメール文書を着信者の指定先に送信し得る携帯型通信端末及び着信転送方法、また、転送先の電話機が転送時に圏外であっても不在着信を確認し得る携帯型通信端末及び着信転送方法を提供するものであった。（例えば、特許文献１参照）。
【特許文献１】特開２００３−２１９４６９号公報（第７頁、図１）
【０００３】
従来のＰＨＳ（Ｐｅｒｓｏｎａｌ  Ｈａｎｄｙｐｈｏｎｅ  Ｓｙｓｔｅｍ）及び事業所用ディジタルコードレス電話システム等のディジタルコードレス電話システムにおける不在着信履歴の記憶は着呼側の無線移動端末機であるＰＳ（Ｐｅｒｓｏｎａｌ  Ｓｔａｔｉｏｎ）が無線回線エリアのサービスエリア内（以下「圏内」という。）に位置する場合に対して着信が生じてユーザーが不在などで応答しなかったとき、不在着信履歴が着呼側のＰＳ内のメモリに蓄積され、あとでユーザーが不在着信履歴をみて相手先の番号などを認識されるようなものであった。
従って、着呼側のＰＳが圏内に位置し、着呼鳴動動作に至ったことが不在着信履歴の確認が行える条件であって、サービスエリア外（以下「圏外」という。）に位置するような着呼側のＰＳには、このような不在着信状況を確認させることができず、発呼側のＰＳのユーザーに対してのみ相手が不在である旨のメッセージが基地局側から流れてくるか、もしくは着呼側のＰＳに対しては留守番電話サービスや転送でんわサービスなどのネットワーク応答サービスに接続されるようなものであった。
【０００４】
図３に従来の移動通信システムの系統図例を示す。
図３において、１ａ、・・・、１ｎはメッセージ着信機能を有するＰＨＳの無線移動端末である複数の無線移動端末機（ＰＳ）であり、２は複数のＰＳと無線系の回線を介して接続される無線基地局およびアンテナ（ＢＳ；Ｂａｓｅ  Ｓｔａｔｉｏｎ）であり、３はＢＳ２及び外部のネットワークである加入回線と有線にて接続される事業所などにあってＰＢＸ（Ｐｒｉｖａｔｅ  Ｂｒａｎｃｈ  Ｅｘｃｈａｎｇｅ）交換機システムであり、３１ａ、３１ｂはＰＢＸ交換機３の中にあってＢＳとインタフェースされるＢＳ制御インタフェースモジュール（ＢＳＩＦ；Ｂａｓｅ  Ｓｔａｔｉｏｎ  Ｉｎｔｅｒｆａｃｅ）、３２は複数のＢＳＩＦ及び加入回線と接続された中央処理モジュール（呼制御）（ＭＣＰ；Ｍａｉｎ  Ｃｏｎｔｒｏｌ  Ｐａｃｋａｇｅ）である。
【０００５】
図４に従来の移動通信システムにおける不在着信時の呼接続手順例を移動通信の通信方法として示す。
図４は、着呼側が最初に圏外に位置した場合であり、このような場合は通常の呼接続手順による不在着信の履歴確認が着呼側にて行えるものである。従って着呼側が最初に圏内に位置した場合の呼接続手順例の説明は省略する。
先ず、ＰＳ１ａは番号７０００及び発呼側であり、圏内に位置する無線移動端末機の呼接続状況であり、一方ＰＳ１ｎは番号７００１及び着呼側であり、最初に圏外に位置する無線移動端末機の呼接続状況である。ＢＳ２は圏内に位置する複数のＰＳ１とＰＢＸ３交換機の間にあって基地局の呼接続状況を示す。ＭＣＰ３２はＰＢＸ３交換機内にあって中央処理モジュール（呼制御）の呼接続状況である。
Ｓ１は、番号７０００、発呼側および圏内に位置する無線移動端末機ＰＳ１ａがＢＳ２に対し番号７００１のＰＳ１ｎを呼び出す発呼信号を伝送する発呼ステップである。
Ｓ２は、Ｓ１ステップにてＢＳ２へ伝送された発呼信号が引き続きＢＳ２からＰＢＸ２内のＭＣＰ３２へ転送される発呼ステップである。
Ｓ３は、Ｓ２ステップに引き続き発呼信号がＭＣＰ３２の交換の呼制御を受けてＭＣＰ３２からＢＳ２へ折り返し転送する発呼ステップである。
Ｓ４は、Ｓ３ステップに引き続きＭＣＰ３２からＢＳ２へ転送された番号７００１のＰＳ１ｎを呼び出す発呼信号をＢＳ２からＰＳ１ｎへ向けて伝送する発呼ステップである。しかしＰＳ１ｎは圏外に位置するのであるから、この発呼信号を受けることができず着呼不可となる。
Ｓ５はＳ３ステップの時点でＭＣＰ３２に所定時間経過を認識するサーチタイマを働かせ、この間ＰＳ１ｎでの着呼不可が継続されＰＳ１ｎからＭＣＰ３２への着呼応答がなく、サーチタイマのタイムアップとなればＭＣＰ３２ではＰＳ１ｎが圏外であると判定し圏外検出フラグをＯＮして、この状況に伴いＭＣＰ３２から圏外メッセージを発呼側のＰＳ１ａへ送り返す圏外メッセージ送出ステップである。ここでＰＳ１ａは発呼断とする。
Ｓ６はＰＳ１ｎが圏内に位置するようになって、ＰＳ１ｎからＢＳ２に対し位置登録信号が伝送される位置登録ステップである。この段階では、まだ、圏外に位置していたときの不在着信状況は不明である。
Ｓ７はＢＳ２が受けた位置登録信号をＭＣＰ３２へ転送・登録する位置登録ステップである。位置登録後において、圏外検出フラグ⇒ＯＮからＯＦＦに戻す。
しかしながら、ＰＳ１ｎが圏内に位置するようになっても、圏外であったときの不在着信記録はＰＳ１ｎにメモリされていることはないので認識することはできない。
【発明の開示】
【発明が解決しようとする課題】
【０００６】
以上説明した従来のＰＨＳのＰＳや携帯電話などの無線移動端末機とＰＢＸなどの交換機との移動通信システムでは、不在着信の履歴が無線移動端末機側でメモリされ管理されているので、ＰＳが圏外に位置している場合の着信は不在着信の履歴として当該ＰＳ内に残す（メモリ）ことができず、当該ＰＳユーザーは不在着信の履歴認識ができない問題があった。
【０００７】
本発明の目的は、従来技術の前記問題点を解決し、圏外に位置するＰＳに対して着信がなされたときであっても、当該ＰＳ側が不在着信の履歴を認識できるような機能を持たせる移動通信の通信方法を提供することにある。
【課題を解決するための手段】
【０００８】
この目的を達成するために、移動通信の通信方法は、メッセージ着信機能を有する複数の無線移動端末機と、該複数の無線移動端末機と無線系を介して接続される少なくとも１つの無線基地局と、該無線基地局および加入者線とが接続される交換機システムとにより行える移動通信の通信方法であって、
前記交換機システムにＬＡＮによって接続されるサーバーＰＣが備えられ、
前記複数の無線移動端末機の一つがサービスエリア外に位置する前記複数の無線移動端末機の他の一つを呼び出す発呼の呼接続動作を行って、該呼接続動作の結果、前記複数の無線移動端末機の他の一つに対して所定時間内に着呼されないときに、
前記交換機システムは該他の一つの無線移動端末機がサービスエリア外に位置すると判定した上、前記サーバーＰＣに対し当該端末機の不在着信状況を通知し、
前記サーバーＰＣは通知された該不在着信状況を不在着信履歴として蓄積し、
前記複数の無線移動端末機の他の一つがサービスエリア外からサービスエリア内に移動し、サービスエリア内への復帰動作が行われたとき、
前記サーバーＰＣに蓄積された前記不在着信履歴が前記サーバーＰＣから前記複数の無線移動端末機の他の一つへメッセージ伝送されることによって、
前記複数の無線移動端末機の他の一つが当該端末機の前記不在着信履歴を認識できるようにした。
【発明の効果】
【０００９】
本発明を実施すれば、着呼側無線移動端末機が圏外中での不在着信を履歴としてサーバーに記憶され、サーバーから圏内に位置するようになった着呼側無線移動端末機に通知されるので、電話に出られないときの対応方法の移動通信特有の弱点を補えるような設定ができるものであり、ユーザー使い勝手の向上となり本発明は極めて有用であり、特殊効果を発揮するものであることは明らかである。
【発明を実施するための最良の形態】
【００１０】
図１に本発明の移動通信システムの系統図例を示す。
図１において、１ａ、・・・、１ｎはＰＨＳのメッセージ着信機能を有する無線移動端末である複数の無線移動端末機（ＰＳ）、２は複数のＰＳと無線系の回線を介して接続される無線基地局およびアンテナ（ＢＳ）、３はＢＳ２及び加入者線と有線にて接続されるＰＢＸなどの交換機システム、４は交換機システムであるＰＢＸにＬＡＮによって接続されるサーバーＰＣであり、一般には複数のパソコンが接続されてインターネットを介してメールなどの情報を提供するコンピュータを備えたアプリケーションサーバーであり、本発明ではＰＢＸ３と接続される。
５はＰＢＸ交換機３とサーバーＰＣ４の接続を取り持つために両者の間に備えるハブ（ＨＵＢ）であり、一般にはパソコンの複数の端末を接続させる中心をなすものである。
３１ａはＰＢＸ交換機３の中にあってＢＳ２とインタフェースされるＢＳ制御インタフェースモジュール（ＢＳＩＦ）、３１ｂも同様にＰＢＸ交換機３の中にあって他のＢＳとインタフェースされるＢＳ制御インタフェースモジュール（ＢＳＩＦ）、３２は複数のＢＳＩＦとＤＩＦとインターネットを含む加入回線とを接続された交換機能の中枢をなす中央処理モジュール（呼制御）（ＭＣＰ）、３３はＨＵＢ５と接続されるデータ通信制御インタフェースモジュール（ＤＩＦ）である。
【００１１】
図２に本発明の移動通信システムにおける不在着信時の呼接続手順例を移動通信の通信方法として示す。
図２による実施例を以下に説明する。図２は着呼側が最初に圏外に位置した場合であり、このような場合は通常の呼接続手順による不在着信の履歴確認が着呼側にて行えるものである。従って着呼側が最初に圏内に位置した場合の呼接続手順例の説明は省略する。
先ず、ＰＳ１ａは番号７０００及び発呼側であり、圏内に位置する無線移動端末機の呼接続状況であり、一方ＰＳ１ｎは番号７００１及び着呼側であり、最初に圏外に位置する無線移動端末機の呼接続状況である。ＢＳ２は圏内に位置する複数のＰＳ１とＰＢＸ３交換機の間にあって基地局の呼接続状況を示す。ＭＣＰ３２はＰＢＸ３交換機内にあって中央処理モジュール（呼制御）の呼接続状況である。
ＤＩＦ３３はＰＢＸ３交換機内にあってＭＣＰ３２とＨＵＢ５を経由したサーバーＰＣ４との間にあってデータ通信制御インタフェースの呼接続状況である。サーバーＰＣ４はメールなどの情報を提供するコンピュータの呼接続状況である。
Ｓ１は、無線移動端末機の一方が圏外に位置する無線移動端末機の他方を呼び出す発呼の呼接続動作であり、即ち、番号７０００、発呼側および圏内に位置する無線移動端末機ＰＳ１ａがＢＳ２に対し番号７００１のＰＳ１ｎを呼び出す発呼信号を伝送する発呼ステップである。
Ｓ２は、Ｓ１ステップにてＢＳ２へ伝送された発呼信号が引き続きＢＳ２からＰＢＸ２内のＭＣＰ３２へ転送される発呼ステップである。
Ｓ３は、Ｓ２ステップに引き続き発呼信号がＭＣＰ３２の交換の呼制御を受けてＭＣＰ３２からＢＳ２へ折り返し転送する発呼ステップである。
Ｓ４は、Ｓ３ステップに引き続きＭＣＰ３２からＢＳ２へ転送された番号７００１のＰＳ１ｎを呼び出す発呼信号をＢＳ２からＰＳ１ｎへ向けて伝送する発呼ステップである。しかしＰＳ１ｎは圏外に位置するのであるから、この発呼信号を受けることができず着呼不可となる。
Ｓ５は呼接続動作の結果で無線移動端末機の他方は着呼されず、交換機システムは圏外と判定のであり、即ち、Ｓ３ステップの時点でＭＣＰ３２に所定時間経過を認識するサーチタイマを働かせ、この間ＰＳ１ｎでの着呼不可が継続されＰＳ１ｎからＭＣＰ３２への着呼応答がなく、サーチタイマのタイムアップとなればＭＣＰ３２ではＰＳ１ｎが圏外であると判定し圏外検出フラグをＯＮして、この状況に伴いＭＣＰ３２から圏外メッセージを発呼側のＰＳ１ａへ送り返す圏外メッセージ送出ステップである。ここでＰＳ１ａは発呼断とする。
Ｓ５１、Ｓ５２はサーバーＰＣに不在着信通知し、無線移動端末機の他方が圏外中であった時に発生した呼接続動作においての不在着信履歴をサーバーＰＣに保管のであり、即ち、Ｓ５ステップの処理と同時に発番号７０００のＰＳ１ａから圏外中の着番号７００１のＰＳ１ｎの呼び出し時での圏外での不在着信通知がＭＣＰ３２からＤＩＦ３３を経由してサーバーＰＣ４へ発番号、着番号等を転送され、かつ、蓄積される圏外での不在着信通知ステップである。ここでは着番号毎に発番号、着番号、当該事象の発生時刻等の圏外での不在着信履歴を１回分として記録される。所定の回数分の管理情報が蓄積される。
Ｓ６はＰＳ１ｎが圏内に位置するようになって、ＰＳ１ｎからＢＳ２に対し位置登録信号が伝送される位置登録ステップである。この段階では、まだ、圏外に位置していたときの不在着信状況は不明である。
Ｓ７は無線移動端末機の他方が圏外から圏内に移動し、圏内復帰動作であり、即ち、ＢＳ２が受けた位置登録信をＭＣＰ３２へ転送・登録する位置登録ステップである。
Ｓ７１、Ｓ７２は、Ｓ７ステップの結果を受けて、番号７００１の端末ＰＳ１ｎが圏内に復帰し位置登録が行われると、ＭＣＰ３２が圏外検出フラグをＯＮと認識していれば、圏内復帰通知の電文がＤＩＦ３３を経由してサーバーＰＣ４へ転送され蓄積される圏内復帰通知ステップである。
なお、ＭＣＰ３２では、Ｓ５１，Ｓ５２ステップにおける圏外での不在着信通知の電文を送出後の初回の位置登録に限り、サーバーＰＣ４へ圏内復帰通知の電文を送信する。更に、ＭＣＰ３２では、ＰＳ毎の圏外検出フラグをデータとして保有し、圏内復帰通知の電文を送出後に圏外検出フラグをＯＦＦとするような検出状態の変化する状態が記録される。
Ｓ７３、Ｓ７４は、Ｓ５２ステップの着番号毎の圏外での不在着信履歴の記録とＳ７２ステップの圏内復帰通知の蓄積された各情報をサーバーＰＣ４が認識して、発番号７０００の端末ＰＳ１ａから着番号７００１の端末ＰＳ１ｎを呼び出し時の圏外での不在着信履歴通知をＤＩＦ３３を経由してＭＣＰ３２へ転送する圏外での不在着信履歴通知ステップである。圏外での不在着信履歴通知を送出後は当該の圏外での不在着信履歴の情報を削除する。
Ｓ８、Ｓ９はサーバーＰＣに蓄積された不在着信履歴をメッセージとしてメールなどにより、着呼側である無線移動端末機の他方がメッセージを通知として得ることであり、即ち、Ｓ７４ステップにてＭＣＰ３２に転送された圏外での不在着信履歴通知がＢＳ２を介して着番号７００１の端末ＰＳ１ｎが受信して、当該端末の圏外での不在着信の履歴状況を認識できる圏外での不在着信履歴通知ステップである。
従って、ＰＳ１ｎが圏内に位置するようになった後であれば、以前に圏外であったときの不在着信履歴の記録はサーバーＰＣ４にメモリされていることになるのでＰＳ１ｎ側での認識が可能となる移動通信の通信方法である。
【００１２】
圏外での不在着信通知を受け取ったサーバーが圏外中の不在着信履歴を端末等へ通知する方法として、次の通知方法例がある。またサーバーに備える機能の違いにより他の通知方法もある。
（１）Ｅメールサービス及びメッセージサービスを使って当該ＰＳへ通知する方法
これは、サーバーとＰＳ間でＥメールサービス及びメッセージサービスの通信ができる環境が備えられている場合に限られる。
サーバーが圏内復帰通知の電文を受信することを契機にして、サーバーに圏外での不在着信履歴の記録が存在する場合、圏外での不在着信履歴の内容（時刻、発番号等）をＥメール電文又はメッセージ電文にして、該当ＰＳへ通知する方法である。
サーバーは該当ＰＳへ通知後、当該圏外での不在着信履歴は記録から削除する。
（２）Ｅメールを使って当該ＰＳ以外へ通知する方法
サーバーとＰＳ間でＥメールサービス及びメッセージサービスの両方を持ず、Ｅメールのみの環境の場合は、圏外での不在着信通知を受け取ったサーバーは任意のアドレスへ圏外での不在着信履歴を記述したＥメールを送信することで当該ユーザーのＰＳ向けに代えて、ほかの所要のアドレスへ通知する方法もある。
構内ＰＨＳなど会社・事業所内等に使用可能エリアが限定され、圏外（エリア外）に位置されることが多発するような構内ＰＨＳなどの場合は、送信先のアドレスを自宅のパソコンや公衆型の携帯電話などにしておくことで社内（構内）不在時での不在時着信情報をタイムリーに知ることもできる。
（３）サーバーに記録された不在着信履歴データを端末等ユーザー側からの閲覧によって通知される方法
サーバーは圏外中の不在着信履歴をサーバー上のイントラネット掲示板等に掲載し、ユーザー自身が掲示板等に掲載された情報を閲覧するように方法である。通知は新規の圏外中不在着信の電文を受信した時のみに行う。この方法は着信呼量が多い場合などメールが大量に送信されるような回線が込み合う場合に有効である。
ユーザーはデータ通信可能なＰＳ又はパソコンにてサーバー上のホームページ上の掲示板などで該当端末の圏外での不在着信履歴を閲覧する方法である。
本発明は、上記のＰＨＳ、事業所用ディジタルコードレス電話システムのほかディジタルセルラーシステム（自動車電話・携帯電話システム）にも適用されることはいうまでもない。
【産業上の利用可能性】
【００１３】
本発明は、移動通信に用いられる無線通信システムに適用されて、事業所内通信ネットワークや公衆通信事業等に利用することができる。
【図面の簡単な説明】
【００１４】
【図１】本発明の移動通信システムの系統図例である。
【図２】本発明の移動通信システムにおける不在着信時の呼接続手順例である。
【図３】従来の移動通信システムの系統図例である。
【図４】従来の移動通信システムにおける不在着信時の呼接続手順例である。
【符号の説明】
【００１５】
１ａ、・・・、１ｎ  無線移動端末機（ＰＳ）
２  無線基地局およびアンテナ（ＢＳ）
３  ＰＢＸ交換機
４  サーバーＰＣ
５  ハブ（ＨＵＢ）
３１ａ、４１ｂ  ＢＳ制御インタフェースモジュール（ＢＳＩＦ）
３２  中央処理モジュール（呼制御）（ＭＣＰ）
３３  データ通信制御インタフェースモジュール（ＤＩＦ）
Ｓ１、・・・Ｓ９、Ｓ５１、Ｓ５２、Ｓ７１、・・・Ｓ７４  通信方法の実行ステップ
【図１】
2005341336.tif 000003
【図２】
2005341336.tif 000004
【図３】
2005341336.tif 000005
【図４】
2005341336.tif 000006